(57)【要約】【課題】  傘に付着した水気を除去すること目的とした傘の水滴除去装置。【解決手段】  吸湿性を特徴とする素材の壁面間で傘をひねり、その素材表面で水分を吸収することを解決手段とする。【選択図】図１
2007033016.tif 000002
【特許請求の範囲】
【請求項１】
傘立てに立てた傘の水滴又は、水に濡れた傘の水を吸収する基材を設け、傘受け部を形成した事を特徴とする傘の水滴除去装置。
【発明の詳細な説明】
【技術分野】
【０００１】    本発明は雨天時の傘に付着した水滴を吸収性と同時に吸水した水分を蒸散する機能を備えた素材を用いて取り除く、傘の水滴除去装置に関するものである。
【背景技術】
【０００２】  従来、雨天の場合のスーパーマーケット等の店頭で、合成樹脂製の薄い袋に濡れた傘を挿入し、滴の滴るのを防止している。
更に、個人的に合成樹脂製の傘袋を持参し、乗り物や店内に入る際に滴のしたたることを防止する向きもあった。
【発明の開示】
【発明が解決しようとする課題】
【０００３】  上記背景御述によれば、元来、合成樹脂製の薄い袋に濡れた傘を挿入する場合、濡れた状態の傘は滑りにくく挿入しにくいため、なかなか挿入できなかったり、手指を濡らしたりして不快であった。
又、傘を強く挿入しすぎて袋の底を突き破り、水滴を床にまき散らして他人に迷惑をかけることもあり、更に使用済みの袋が大量に廃棄され、省資源やエコロジーといった時代の流れに逆行する結果となっている。
【課題を解決するための手段】
【０００４】  本発明によれば、傘立てに立てた傘の水滴又は、雨に濡れた傘の水を吸収する基材を設け、傘受け部を形成したことである。
【発明の効果】
【０００５】  本発明に於いては、水滴の吸収と同時に吸収した水滴からなる水分を蒸散する機能を備えた珪藻土を焼成した基材を用いて傘受け部を形成してあるため、濡れた傘が基材に触れる瞬間、滴を吸収し、床等に滴として滴り落ちることは全くない。
加えて、珪藻土は水滴の吸収と蒸散を同時に行う性質があるため、常に水滴を吸収する体制にあり、且つ繰り返し使用が可能であるから、使用済みの袋といった廃棄物は一切出ることもなく、省資源やエコロジーといった時代にマッチした商品として提供することが出来る。
しかも、濡れた傘を袋に挿入するような煩雑な作業も必要がなく、したがって手指を濡らす不快感も一切生ずることはない。
更に、袋を使用しないため使用済みの袋が店頭のゴミ容器に山のように廃棄され、見苦しさを醸し出すこともない等、その効果は極めて大きい。
【発明を実施するための最良の形態】
【０００６】  本発明を実施するための最良の形態を以下に説明すると、珪藻土を素材として焼成した複数の基材２を保持するに必要な強度を有する支持部材１によって複数の基材２、２を保持してあり、この時、対向する基材２、２の面４、４は濡れた傘等を面４、４間に挿入した場合に於いて、濡れた傘が接触するに充分な間隔であることが望ましい。【０００７】  更に、基材２、２は若干の角度を維持して支持部材１に支持することが好ましく、対向する基材の幅Ｆは、雨で濡れた傘を挿入するに充分な幅であって、且つ、傘が接触する幅であることが望ましい。【０００８】  更に、支持材１の底部３を金属又は合成樹脂又はセラミック、または木その他衝撃に強い素材を用いて形成することも可能である。
【実施例】
【０００９】  以下、本発明の実施例１を図面に基づいて説明すると、図１は実施例１を示す斜視図で、図２はＡ、Ａ断面斜視面で微小なる多口質体である珪藻土を素材として成型し焼成し、微小なる多口質の作用により吸水する複数の基材２を保持するに必要な強度を有する支持部材１を形成し、複数の基材２、２を保持してあり、この時、略対向する基材２、２の面４、４の距離Ｆは、濡れた傘等を面４、４間に挿入した場合に於いて、濡れた傘が接触し、瞬時に濡れた傘の水滴を吸収するのに充分な距離に形成してある。【００１０】  更に、基材２、２は傘を閉じた角度と近似した角度に形成することが好ましく、その為に基材２、２は若干の角度を維持して支持部材１に支持することが好ましく、略対向する基材の幅Ｆは、雨で濡れた傘を挿入するに充分な幅であって、且つ、傘が接触する幅であることが望ましい。【００１１】  更に、支持部材１の底部３を金属又は合成樹脂又はセラミック、又は木その他衝撃に強い素材を用いて形成することも可能で、傘の先端から若干滴り落ちる滴を受けると同時に、基材２、２の側端部５、５によってこの水滴を速やかに吸収させるために、側端部５、５は底部３に密着状態で保持されることが望ましい。【００１２】又、図２は図１のＡ、Ａ断面斜視図で、支持材１には底板６を載置するか、又は、設けても良く、この時底板６は基材２と同様の素材でも良いが、その他、例えば、金属又はプラスチック、又は木その他、吸水性有しない素材であっても差し支えない物で、複数の基材２、２の間に濡れた傘等を挿入した場合、当然のことながら傘の先端に附着している水滴の一部が底板に附着する可能性があるが、これらの水滴は底板６に接触する基材２の側端部によって速やかに吸収されるため、なんら支障を来すことはない。【００１３】  したがって、本実施例の傘の水滴除去装置を使用するにあたっては、雨等で濡れた傘を閉じて、対向する基材の幅Ｆの間に挿入し、若干の角度回動させるとよく、例えば若干の角度回動させると傘の表面は珪藻土を成型焼成した基材２の面４に接触することで、傘の面にある水滴は一瞬にして基材２、２に吸収され、且つ同時に吸収された水滴は蒸散して面４は乾燥状態に向かう。【００１４】  このため、常に濡れた傘の水滴を吸収可能な状態に復元し維持されているから、次々と連続での使用が可能であり、床等に傘の滴が滴り落ちることは全くない。
更に、袋を使用することがないから濡れた傘を袋に入れる等の煩わしさもなく、使用済みの袋が発生しないから、袋を廃棄することも、廃棄された袋によって見苦しい状況をきたすことも、電力や動力を必要としない、省資源、省エネ、エコロジーの傘の水滴除去装置を提供することが出来る。【００１５】  図３は実施例２を示す斜視図で、支持材１の側部５Ａ、５Ａに傘を立て、置く場合、傘の横転を防止する支持部材６、６を設けるとよく、少数の傘の置き具として対応することができ、水切りを機能させると同時に、そのまま傘を保管する傘立てとして使用できる。支持材間に横支持材５を渡し、傘の転倒を防止する。【００１６】  又、使用目的状況に応じ、視覚的デザインを必要とする場合もあり、その場合に於いては自由に変えて製作することも可能である。【００１７】  家の新築、改築に際し、玄関の一角に作り付けることも可能であり、実施例１と同様の効果を得るものである。その際、珪藻土板の取り外しが可能であると掃除等を容易にすることも可能である。【００１８】  又、雨天時のバスは狭い空間に濡れた傘を携帯し困難なものだが、例えば図示しないが、バスの乗降口等に本発明の傘の水滴除去装置を備えることにより、傘の水滴が除去され心身とも楽である。したがって入り口の任意側面に取り付ければ乗車の妨げにならず、雨天の車内から傘の水滴の不快さが除去され、トラブル防止にも貢献できる。【００１９】  図４は実施例３を示す斜視図で、本発明の傘の水滴除去装置は珪藻土を焼成した基材２、２を使用するため若干の重量があり、傘立ての移動の多い家庭又は商店等に於いて使用する場合、支持材１の下端に複数の回動体７、７を設けると良く、この時、回動体７、７はキャスター等車輪を用いることもでき、傘立ての出し入れ等移動させる場合小さな力で移動が可能になるよう構成することもでき、実施例１と同様の効果を得ることができるものである。【００２０】  図５は実施例４を示す斜視図で、図６はＢ、Ｂ断面斜視図であり、支持部材１に依って形成された枠に、一方向に傾斜させた基材２を設けることもできるもので、この実験例に於いては、濡れた傘等を挿入し、傘の取っ手から手を離すと、傘は自重のバランスを崩して自然に基材２の面４に倒れかかり、傘立てとして玄関等に設置することができる。【００２１】  これは、傘等の石突きは傘を立てた状態に於いて、略中心に位置するため、略直立する支持部材１に面に矯正されて、自然に傘は基材２の面に向かって転倒するように形成してあり、この場合に於いても、水滴が支持部材１及び底板６に附着しても、基材２に側端部が底板６に接触密着しているため、速やかに吸水し、水滴により支障を来すことはない。【００２２】  従って実施例４に於いても、他の実施例と同様に吸湿や除湿消臭等の作用を加味した傘の水滴除去装置であるから、他の実施例と同様の作用及び効果を得ることができる物である。
【図面の簡単な説明】
【００２３】
【図１】本発明の実施例１を示す斜視図である。
【図２】本発明の実施例１のＡ、Ａ断面斜視図である。
【図３】本発明の実施例２を示す斜視図である。
【図４】本発明の実施例３を示す斜視図である。
【図５】本発明の実施例４を示す斜視図である。
【図６】本発明の実施例４のＢ、Ｂ断面斜視図である。
【符号の説明】
【００２４】１  支持部材
２  基材
３  底部
Ｆ  略対向する面
４  面
５  支持部材
６  底板
７  回動体
【図１】
2007033016.tif 000003
【図２】
2007033016.tif 000004
【図３】
2007033016.tif 000005
【図４】
2007033016.tif 000006
【図５】
2007033016.tif 000007
【図６】
2007033016.tif 000008